(57)【要約】【課題】指示入力の有効性を視認する。【解決手段】情報処理装置は、表示装置に表示される画面に対する操作を検出する検出部を有する。情報処理装置は、画面に対する、過去の当該操作の有無に関する操作実績を取得する取得部を有する。さらに、情報処理装置は、操作が検出された場合において、画面に対する操作実績があると判定されたときは、画面に対する操作に対応する処理が開始されるよりも早いタイミングで、画面に対する操作への応答を示す通知を行う通知制御部を有する。【選択図】図５
2019074809.tif 000002
【特許請求の範囲】
【請求項１】
表示装置に表示される画面に対する操作を検出する検出部と、
前記画面に対する、過去の前記画面に対する当該操作の有無に関する操作実績を取得する取得部と、
前記操作が検出された場合において、画面に対する前記操作実績があると判定されたときは、前記画面に対する操作に対応する処理が開始されるよりも早いタイミングで、前記画面に対する操作への応答を示す通知を行う通知制御部と、
を有することを特徴とする情報処理装置。
【請求項２】
前記検出部は、前記表示装置とは異なる位置に設置されたセンサを通じて、ユーザによる操作に対応する前記画面に対する操作を検出し、
前記取得部は、前記操作が検出されたタイミングで前記操作実績を取得することを特徴とする請求項１に記載の情報処理装置。
【請求項３】
前記検出部は、前記画面に対する操作として、前記ユーザによる前記画面に対するスクロール操作を検出し、
前記取得部は、前記操作実績として、前記画面に対するスクロール実績を取得し、
前記通知制御部は、前記画面に対するスクロール操作への応答として、前記スクロール操作に対応するスクロール処理の方向と前記スクロール操作に対応するスクロール速度とのうち少なくともいずれか一つを示す通知を行うことを特徴とする請求項２に記載の情報処理装置。
【請求項４】
前記通知制御部は、前記画面に対するスクロール実績がないと判定された場合には、スクロール不能であることを示す通知、又は画面に対するスクロール以外の操作を受け付けることを示す通知を行うことを特徴とする請求項３に記載の情報処理装置。
【請求項５】
前記通知制御部は、前記画面に対する前記操作実績がないと判定された場合において、前記画面のファイルサイズ、前記情報処理装置の通信速度及び前記情報処理装置の処理速度のうち少なくともいずれか１つが所定の条件を満たす場合に、前記画面に対する操作への応答を示す通知を行うことを特徴とする請求項１乃至４のいずれか１つに記載の情報処理装置。
【請求項６】
前記操作実績を記憶する実績記憶部をさらに有し、
前記取得部は、前記画面に対する操作が検出された場合における、前記操作に対応するイベントに対するコールバックが発生したか否かをさらに判定し、前記コールバックが発生したと判定した場合に、前記イベントに対応する操作に関する前記操作実績を前記実績記憶部に記憶することを特徴とする請求項１乃至５のいずれか１つに記載の情報処理装置。
【請求項７】
前記実績記憶部は、前記操作実績として、前記画面のバージョンに関する情報をさらに記憶し、
前記通知制御部は、前記バージョンが一致する前記画面に対する前記操作実績が前記実績記憶部に記憶されている場合に、前記画面に対する前記操作実績があると判定することを特徴とする請求項６に記載の情報処理装置。
【請求項８】
コンピュータが、
表示装置に表示される画面に対する操作を検出し、
前記画面に対する、過去の前記画面に対する当該操作の有無に関する操作実績を取得し、
前記操作が検出された場合において、画面に対する前記操作実績があると判定されたときは、前記画面に対する操作に対応する処理が開始されるよりも早いタイミングで、前記画面に対する操作への応答を示す通知を行う
処理を行うことを特徴とする表示制御方法。
【請求項９】
コンピュータに、
表示装置に表示される画面に対する操作を検出し、
前記画面に対する、過去の前記画面に対する当該操作の有無に関する操作実績を取得し、
前記操作が検出された場合において、画面に対する前記操作実績があると判定されたときは、前記画面に対する操作に対応する処理が開始されるよりも早いタイミングで、前記画面に対する操作への応答を示す通知を行う
処理を行わせることを特徴とする表示制御プログラム。
【発明の詳細な説明】
【技術分野】
【０００１】
本発明は、情報処理装置、表示制御方法及び表示制御プログラムに関する。
【背景技術】
【０００２】
携帯端末の画面スクロールを容易にする技術が知られている。例えば、装置の側面に設けられた指紋認証センサを通じてセンサ面上の使用者の指のＸ、Ｙ方向の移動をユーザのスクロール操作又はカーソル移動操作の操作入力として認識する携帯端末装置が知られている。
【先行技術文献】
【特許文献】
【０００３】
【特許文献１】特開２００５−３０１６５８号公報
【発明の概要】
【発明が解決しようとする課題】
【０００４】
ところで、携帯端末における画面のスクロールの速度は、ネットワークの状況や画面のファイルサイズ等に左右される。例えばネットワークの通信速度が遅い場合や動画を含む画面等においては、携帯端末がスクロール操作を受け付けてから、画面のスクロール処理を開始するまでの間のタイムラグが長くなる場合がある。また、画面の拡大縮小など、画面のスクロール以外の処理についても、同様にタイムラグが長くなる場合がある。
【０００５】
その場合において、例えばスクロール操作を行った携帯端末のユーザは、スクロール処理が開始されない場合、画面がスクロールに対応していないためなのか、又はスクロール開始までの処理のタイムラグに起因するものなのかを知ることができない場合がある。
【０００６】
一つの側面では、指示入力の有効性を視認できる情報処理装置、表示制御方法及び表示制御プログラムを提供することを目的とする。
【課題を解決するための手段】
【０００７】
一つの態様において、情報処理装置は、表示装置に表示される画面に対する操作を検出する検出部を有する。情報処理装置は、画面に対する、過去の当該操作の有無に関する操作実績を取得する取得部を有する。さらに、情報処理装置は、操作が検出された場合において、画面に対する操作実績があると判定されたときは、画面に対する操作に対応する処理が開始されるよりも早いタイミングで、画面に対する操作への応答を示す通知を行う通知制御部を有する。
【発明の効果】
【０００８】
一つの態様によれば、指示入力の有効性を視認できる。
【図面の簡単な説明】
【０００９】
【図１】図１は、携帯端末の全体構成を示す図である。
【図２】図２は、携帯端末のハードウェア構成例を示す図である。
【図３】図３は、実施例１における画面遷移の一例を示す図である。
【図４】図４は、実施例１におけるスクロールとＵＩ表示との関係の一例を示すタイミングチャートである。
【図５】図５は、実施例１における携帯端末の機能ブロックの一例を示す図である。
【図６】図６は、実施例１における履歴ＤＢの一例を示す図である。
【図７】図７は、実施例１における表示制御処理の一例を示すフローチャートである。
【図８】図８は、実施例２における表示制御処理の一例を示すフローチャートである。
【発明を実施するための形態】
【００１０】
以下に、本願の開示する情報処理装置、表示制御方法及び表示制御プログラムの実施例を図面に基づいて詳細に説明する。なお、この実施例によりこの発明が限定されるものではない。また、以下に示す各実施例は、矛盾を起こさない範囲で適宜組み合わせても良い。
【実施例１】
【００１１】
本実施例における表示制御方法は、例えば携帯端末などの情報処理装置により実行される。図１は、携帯端末の全体構成を示す図である。図１に示すように、本実施例における携帯端末１０は、例えばスマートフォンなどの携帯可能なコンピュータであるが、これに限られず、携帯電話やタブレットなどのその他のコンピュータでもよく、また据置型のコンピュータであってもよい。なお、携帯端末１０は、情報処理装置の一例である。
【００１２】
図１に示す携帯端末１０は、タッチパネル９とは異なる位置、例えば携帯端末１０の側面部に、センサ２を有する。タッチパネル９は、後に説明する画面表示を行う表示装置３と、後に説明するユーザ操作を受け付けるタッチセンサ４とを兼ねる装置の一例である。
【００１３】
センサ２は、携帯端末１０の側面部など、ユーザが操作しやすい位置に設置されるセンサデバイスである。例えば、ユーザが右手で携帯端末１０を操作するときは、親指が携帯端末１０と接する位置または当該位置の周辺に設置される。また、ユーザが左手で携帯端末１０を操作するときは、人差し指が携帯端末１０と接する位置または当該位置の周辺に設置される。なお、センサ２の設置位置は、携帯端末１０の側面に限られず、他の場所であってもよい。
【００１４】
また、センサ２は、指が接触したか否かを検出するセンサに加え、指紋を読み取る指紋センサとして機能することもできる。例えば、携帯端末１０は、センサ２を用いて指紋認証を実行するとともに、センサ２を用いて画面の表示制御を実行する。また、センサ２は、指の移動（距離、方向）を検出することができる。これにより、センサ２は、ユーザによる、表示装置３に表示される画面のスクロールなどの操作を受け付けることができる。なお、以下において、表示装置３に表示されている画面を「表示中の画面」と表記する場合がある。
【００１５】
図１に示す携帯端末１０のハードウェア構成について、図２を用いて説明する。図２は、携帯端末のハードウェア構成例を示す図である。図２に示すように、携帯端末１０は、無線装置１と、センサ２と、表示装置３と、タッチセンサ４と、記憶装置５と、プロセッサ６とを有する。また、無線装置１にはアンテナ１ａが接続される。
【００１６】
無線装置１は、例えばネットワークインタフェースカードなどの通信インタフェースであり、アンテナ１ａを通じて無線通信を行う。センサ２は、ユーザによる表示中の画面に対するスクロールなどの操作を受け付ける。表示装置３は、画面を表示させる。タッチセンサ４は、表示中の画面に対する、ユーザによるタップやスワイプ、フリックなどの操作を受け付ける。記憶装置５は、後に説明する各機能部の説明時に示す処理部を動作させるプログラムやＤＢ等を記憶する。
【００１７】
プロセッサ６は、各処理部と同様の処理を実行するプログラムを記憶装置５等から読み出すことで、後に説明する各機能を実行するプロセスを動作させる。
【００１８】
このように携帯端末１０は、プログラムを読み出して実行することで、以下に説明する表示制御方法を実行する。また、携帯端末１０は、媒体読取装置によって記録媒体から上記プログラムを読み出し、読み出された上記プログラムを実行することで上記した実施例と同様の機能を実現することもできる。なお、この他の実施例でいうプログラムは、携帯端末１０によって実行されることに限定されるものではない。例えば、他のコンピュータまたはサーバがプログラムを実行する場合や、これらが協働してプログラムを実行するような場合にも、本発明を同様に適用することができる。
【００１９】
ところで、センサ２においてスクロール操作を受け付ける際、操作を受け付けてから、実際にスクロール処理が開始されるまでにタイムラグが生じる場合がある。その場合において、ユーザは、スクロール操作が無効であったのか、又は単にタイムラグがあるからスクロール処理が始まらないのかを確認できず、操作時のストレスとなる場合がある。
【００２０】
そこで、携帯端末１０は、スクロール指示があった場合、過去のスクロール実績がある画面か否かを判定し、スクロール実績がある場合スクロール動作の開始前にＵＩ（User  Interface）を表示する。これにより、携帯端末１０は、スクロール可能か否かをいち早く視認できる。なお、以下においては表示中の画面に対するスクロール操作実績を用いる例について説明するが、これに限られず、表示中の画面の拡大縮小などのその他の画面に対する操作実績を用いてもよい。また、以下において、例えばアイコンやメッセージボックス、効果音など、ユーザに通知を行うために用いられるユーザインタフェース（User  Interface）を「ＵＩ」と表記する場合がある。
【００２１】
本実施例における携帯端末１０は、図３に示すような画面遷移により、ユーザによるスクロール操作に対応するＵＩを表示させる。図３は、実施例１における画面遷移の一例を示す図である。図３の（ａ）に示す携帯端末１０は、コンテンツＡ、Ｂ及びＣを含む画面４０を表示装置３に表示させる。この場合において、携帯端末１０は、センサ２を通じて、ユーザによるスクロール操作５０を受け付ける。
【００２２】
携帯端末１０は、表示中の画面４０に対して、過去にスクロール処理が行われたことを示すスクロール実績を参照する。携帯端末１０は、スクロール実績があると判定した場合、図３の（ｂ１）に示すように、スクロール処理を受け付けたことを示すＵＩ７０ａを表示させる。
【００２３】
また、携帯端末１０は、スクロール操作を受け付け、ＵＩ７０ａが表示されている場合において、実際にスクロール処理が開始されたときに、表示を変化させてもよい。例えば、スクロール処理が開始される前におけるＵＩ７０ａでは、ＵＩは中央を示している。一方、スクロール処理が開始された後に表示されるＵＩ７０ｂでは、図３の（ｂ２）に示すように、ＵＩは下方向を示している。このような表示をすることで、ユーザはスクロール処理が待機中であるか、開始されているか、またスクロール方向が上下どちらかを視認することができる。
【００２４】
一方、携帯端末１０は、例えば表示中の画面に対するスクロール実績がないと判定した場合、図３の（ｃ）に示すように、表示装置３にＵＩ７０ａを表示させない。これにより、ユーザは表示中の画面に対するスクロール処理が無効であることを視認することができる。
【００２５】
スクロール処理におけるタイムラグと、本実施例におけるＵＩ表示との関係について、、図４を用いて説明する。図４は、実施例１におけるスクロールとＵＩ表示との関係の一例を示すタイミングチャートである。図４において、横軸は表示装置３に画面が表示された時点「ｔ０」からの時間の経過を示し、縦軸に各種の操作や処理を示す。
【００２６】
図４に示すように、携帯端末１０は、時点「ｔ１」においてスクロール操作を受け付けると、時点「ｔ２」においてスクロール処理を開始する。また、スクロール処理を行ったという動作に対するコールバックは、時点「ｔ２」より後の時点「ｔ３」において発生する。すなわち、スクロール操作を受け付けてからスクロール処理が開始されるまで、タイムラグ「ｓ１」が発生する。
【００２７】
この場合において、背景技術においては、図３に示すようなＵＩは表示されないか、又はスクロール処理開始の時点「ｔ２」若しくはコールバック発生時点「ｔ３」と同時若しくはそれ以降の時点「ｔ４」において表示される。すなわち、背景技術においては、ユーザはタイムラグ「ｓ１」においてはスクロール操作が有効であるか無効であるかを視認することができない。
【００２８】
本実施例においては、図３に示すようなＵＩが、コールバック発生時点「ｔ３」よりも早い時点「ｔａ」において表示される。これにより、ユーザは「ｓ１」より短いタイムラグ「ｓ２」で、スクロール操作が有効であるか無効であるかを視認することができる。
【００２９】
［機能ブロック］
次に、図１に示す携帯端末１０の機能構成について、図５を用いて説明する。図５は、実施例１における携帯端末の機能ブロックの一例を示す図である。図５に示すように、本実施例における携帯端末１０は、記憶部１２０と、制御部１３０とを有する。
【００３０】
記憶部１２０は、例えば制御部１３０が実行するプログラムなどの各種データなどを記憶する。また、記憶部１２０は、履歴ＤＢ１２１を有する。記憶部１２０は、ＲＡＭ（Random  Access  Memory）、ＲＯＭ（Read  Only  Memory）、フラッシュメモリなどの半導体メモリ素子や、ＨＤＤ（Hard  Disk  Drive）などの記憶装置に対応する。なお、以下の説明では、データベースを「ＤＢ」と表記する場合がある。
【００３１】
履歴ＤＢ１２１は、表示装置３において過去に表示された画面のうち、例えば画面に対する操作を受け付け、かつ当該操作に対応する処理が有効に行われた実績のある画面に関する情報を記憶する。図６は、実施例１における履歴ＤＢの一例を示す図である。図６に示すように、履歴ＤＢ１２１は、例えば、「Activity」と、「リソースＩＤ」と、「バージョン情報」とを対応付けて記憶する。なお、履歴ＤＢ１２１は、実績記憶部の一例であり、履歴ＤＢ１２１に記憶された各レコードは、操作実績を示す情報の一例である。
【００３２】
図６において、「Activity」は、画面の提供元であるサービスのＵＲＬ、及びサービスを呼び出すアプリケーションの種類を示す。「リソースＩＤ（IDentifier）」は、当該サービスが提供する画面を一意に識別する識別子を示す。「バージョン情報」は、「Activity」及び「リソースＩＤ」により特定される画面のバージョンを示す。
【００３３】
なお、「Activity」及び「リソースＩＤ」が同じ画面であっても、バージョンの違いに応じて、画面に対する操作ができる場合とできない場合が分かれることがある。そこで、本実施例における履歴ＤＢ１２１は、「バージョン情報」をさらに記憶する。
【００３４】
本実施例において、履歴ＤＢ１２１には、携帯端末１０において過去に表示された画面のうち、センサ２を通じてユーザからスクロール操作を受け付け、また操作に対応するスクロール処理が行われた画面に関する情報が記憶される。なお、履歴ＤＢ１２１に記憶される情報は、例えば後に説明する取得部１３２により入力される。
【００３５】
図５に戻って、制御部１３０は、携帯端末１０の全体的な処理を司る処理部である。制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。
【００３６】
制御部１３０は、センサ検出部１３１、取得部１３２、通知制御部１３３及び表示制御部１３４を有する。なお、センサ検出部１３１、取得部１３２、通知制御部１３３及び表示制御部１３４は、プロセッサが有する電子回路の一例やプロセッサが実行するプロセスの一例である。
【００３７】
センサ検出部１３１は、センサ２が受け付けた、携帯端末１０のユーザによる画面に対する操作を検出する。センサ検出部１３１は、例えばセンサ２からスクロール操作などの画面に対する操作に関する情報の出力を受けると、操作に関する情報を取得部１３２、通知制御部１３３及び表示制御部１３４に出力する。なお、センサ検出部１３１は、検出部の一例である。
【００３８】
取得部１３２は、表示中の画面に関する操作実績を取得する。取得部１３２は、センサ検出部１３１から操作に関する情報の出力を受けると、履歴ＤＢ１２１を参照し、表示中の画面とActivity、リソースＩＤ及びバージョン情報が一致するレコードを検索する。取得部１３２は、該当するレコードがヒットしたか否かを示す情報を、通知制御部１３３に出力する。
【００３９】
また、取得部１３２は、表示中の画面において、操作に関する情報に対するコールバックが発生したか否かを判定する。取得部１３２は、コールバックが発生したと判定した場合、スクロール操作に対応するスクロール処理が行われたと判定できるので、表示中の画面に対応するActivity、リソースＩＤ及びバージョン情報を取得し、履歴ＤＢ１２１に記憶する。
【００４０】
通知制御部１３３は、表示中の画面に対する操作実績に基づいて、ＵＩの表示を制御する。通知制御部１３３は、例えば取得部１３２から、履歴ＤＢ１２１において該当するレコードがヒットしたことを示す情報、すなわち表示中の画面に対する操作実績があることを示す情報の出力を受けたか否かを判定する。
【００４１】
通知制御部１３３は、操作実績があることを示す情報の出力を受けたと判定した場合、表示装置３にスクロール操作を受け付けたことを示すＵＩを表示させる。一方、通知制御部１３３は、操作実績がないことを示す情報の出力を受けたと判定した場合、ＵＩを表示させずに待機する。
【００４２】
表示制御部１３４は、表示中の画面に対し、ユーザによる操作に対応する処理を行う。表示制御部１３４は、例えばセンサ検出部１３１から、センサ２を通じてスクロール操作を受け付けたことを示す情報の出力を受けると、表示中の画面のスクロール処理を開始する。
【００４３】
また、表示制御部１３４は、スクロール処理を開始した場合に、表示されているＵＩを変化させてもよい。例えば、表示制御部１３４は、下方向のスクロール操作を受け付け、操作が開始された場合、図３の（ｂ１）に示すような中央を示しているＵＩ７０ａを、図３の（ｂ２）に示すように、下方向を示すＵＩ７０ｂに変化させる。
【００４４】
［処理の流れ］
次に、本実施例における処理について、図７を用いて説明する。図７は、実施例１における表示制御処理の一例を示すフローチャートである。なお、以下においては、センサ検出部１３１が表示中の画面に対するスクロール操作を検出し、履歴ＤＢ１２１がスクロール操作の実績がある画面に関する情報を記憶する場合について説明する。
【００４５】
図７に示すように、携帯端末１０の取得部１３２は、表示中の画面の切り替えを検出するまで待機する（Ｓ１００：Ｎｏ）。取得部１３２は、画面の切り替えを検出したと判定した場合（Ｓ１００：Ｙｅｓ）、履歴ＤＢ１２１を参照し、対応する履歴、例えば表示中の画面とActivity、リソースＩＤ及びバージョン情報が一致するレコードを検索する（Ｓ１０１）。取得部１３２は、レコードの検索結果を、通知制御部１３３に出力する。
【００４６】
次に、センサ検出部１３１は、表示中の画面に対するスクロール操作を検出するまで待機する（Ｓ１１０：Ｎｏ）。センサ検出部１３１は、スクロール操作を検出したと判定した場合（Ｓ１１０：Ｙｅｓ）、操作を検出したことを示す情報を通知制御部１３３及び表示制御部１３４に出力する。
【００４７】
通知制御部１３３は、操作を検出したことを示す情報の出力を受けると、取得部１３２から出力を受けた情報が、表示中の画面のスクロール履歴があることを示すか否かを判定する（Ｓ１２０）。通知制御部１３３は、スクロール履歴があることを示す情報の出力を受けたと判定した場合（Ｓ１２０：Ｙｅｓ）、検出されたスクロール操作に対応するスクロール処理が開始される前に、操作を受け付けたことを示すＵＩを表示装置３に表示させる（Ｓ１２１）。その後、表示制御部１３４は、表示中の画面のスクロール処理を開始し（Ｓ１９０）、処理を終了する。一方、通知制御部１３３は、画面のスクロール履歴がないことを示す情報の出力を受けたと判定した場合（Ｓ１２０：Ｎｏ）、そのままＳ１９０に移行する。
【００４８】
［効果］
以上説明したように、本実施例における情報処理装置は、表示装置に表示される画面に対する操作を検出する検出部を有する。情報処理装置は、画面に対する、過去の当該操作の有無に関する操作実績を取得する取得部を有する。さらに、情報処理装置は、操作が検出された場合において、画面に対する操作実績があると判定されたときは、画面に対する操作に対応する処理が開始されるよりも早いタイミングで、画面に対する操作への応答を示す通知を行う通知制御部を有する。これにより、情報処理装置は、指示入力の有効性を視認できる。ユーザは、例えばスクロール処理が開始される前にスクロール操作を受け付けたことを示すＵＩを視認できることで、スクロール操作が有効か無効かを素早く認知できるので、スクロール操作の際のストレスを軽減できる。
【００４９】
また、本実施例における情報処理装置は、表示装置とは異なる位置に設置されたセンサを通じて、ユーザによる画面に対する操作が検出された場合に、操作実績を取得してもよい。これにより、タッチパネル９に設けられたタッチセンサ４とは異なるセンサ２を用いた操作に対応できる。
【００５０】
また、本実施例における情報処理装置は、ユーザによる画面に対するスクロール操作を検出し、画面に対するスクロール操作の実績を取得してもよい。そして、情報処理装置は、スクロール操作への応答として、前記スクロール操作に対応するスクロール処理の方向と前記スクロール操作に対応するスクロール速度とのうち少なくともいずれか一つを示す通知してもよい。これにより、ユーザによるスクロール操作が可能であるか、及びユーザによるスクロール操作が適切に受け付けられたか否かを通知できる。
【００５１】
さらに、本実施例における情報処理装置は、操作実績に関する情報を記憶する実績記憶部をさらに有してもよい。また、実績記憶部は、画面のバージョンに関する情報をさらに記憶し、バージョンが一致する画面に対する操作実績が実績記憶部に記憶されている場合に、操作実績があると判定してもよい。これにより、バージョンの違いにより画面に対する操作の可否が異なる場合においても、操作の可否に応じた通知を行うことができる。
【実施例２】
【００５２】
さて、これまで本発明の実施例について説明したが、本発明は上述した実施例以外にも、種々の異なる形態にて実施されてよいものである。例えば、表示制御処理において、情報処理装置が、表示中の画面に対応するコールバックの発生に応じて、履歴ＤＢ１２１をリアルタイムに更新してもよい。
【００５３】
また、表示中の画面に対するスクロール実績が過去にない場合においても、表示中の画面がスクロール可能な画面であると判定できる場合がある。例えば、ＳＮＳ（Social  Networking  Service）のページなど、画面のデータのファイルサイズが大きく、また画像や動画を多く含む場合、当該画面はスクロール可能な画面であると推測できる。
【００５４】
本実施例における表示制御処理について、図８を用いて説明する。図８は、実施例２における表示制御処理の一例を示すフローチャートである。なお、以下の説明において、図７に示すステップと同じ符号については同様のステップであるため、詳細な説明を省略する。また、本実施例における表示制御処理は、図５に示す携帯端末１０と同様の構成により実現できる。
【００５５】
図８に示すように、携帯端末１０の取得部１３２は、表示中の画面のスクロール履歴がないことを示す情報の出力を受けたと判定した場合において（Ｓ１２０：Ｎｏ）、表示中の画面が所定の条件を満たすか否かを判定する（Ｓ１３０）。取得部１３２は、表示中の画面が所定の条件を満たすと判定した場合（Ｓ１３０：Ｙｅｓ）、Ｓ１２１に移行する。
【００５６】
一方、取得部１３２は、表示中の画面が所定の条件を満たさないと判定した場合（Ｓ１３０：Ｎｏ）、ユーザによるスクロール操作に対するコールバックが発生したか否かを判定する（Ｓ１４０）。取得部１３２は、コールバックが発生したと判定した場合（Ｓ１４０：Ｙｅｓ）、履歴ＤＢ１２１を、表示中の画面に関する情報を用いて更新し（Ｓ１４１）、Ｓ１９０に移行する。一方、取得部２３１は、コールバックが発生しなかったと判定した場合（Ｓ１４０：Ｎｏ）、そのままＳ１９０に移行する。
【００５７】
以上説明したように、情報処理装置は、画面に対する操作が検出された場合における、操作に対応するイベントに対するコールバックが発生したか否かをさらに判定してもよい。情報処理装置は、画面に対する操作が検出された場合における、操作に対応するイベントに対するコールバックが発生したか否かをさらに判定し、コールバックが発生したと判定した場合に、イベントに対応する操作に関する操作実積を実績記憶部に記憶してもよい。これにより、画面に対する操作履歴をリアルタイムで更新できる。
【００５８】
また、情報処理装置は、操作実績がないと判定された場合においても、画面のファイルサイズ、情報処理装置の通信速度及び処理速度などが所定の条件を満たす場合に、画面に対する操作への応答を示す通知を行ってもよい。これにより、画面の属性や通信状況等に応じて、的確なタイミングで通知を出力できる。特に、動画を多く含むような画面においては、スクロール操作を受け付けてからスクロール処理が開始されるまでにタイムラグが大きくなる場合が多いので、ユーザのストレスを軽減する効果はより大きくなる。
【００５９】
また、履歴ＤＢ１２１に記憶される情報は一例であり、履歴ＤＢ１２１が、当該画面に対して行われた、スクロールや画面の拡大、縮小などの操作の種類をさらに記憶してもよい。また、履歴ＤＢ１２１は、当該画面に対して操作が行われた日時や、操作が行われた回数などをさらに記憶してもよい。
【００６０】
また、本実施例における情報処理装置は、スクロール実績がないと判定された場合には、スクロール不能であることを示す通知、又は画面に対するスクロール以外の操作を受け付けることを示す通知を行ってもよい。例えば、携帯端末１０は、スクロール不能である場合には「×」印などのＵＩを表示させ、又は効果音等を発生させてもよい。また、携帯端末１０は、虫眼鏡アイコンなどの画面の拡大縮小操作を受け付けるＵＩを表示させてもよい。これにより、スクロール操作が不能であること、及びその他の操作を受け付けることをユーザに通知できる。
【００６１】
また、スクロール操作を受け付けたことを示す通知は一例であり、例えば音声や振動などを用いて、スクロール操作を受け付けたことを通知してもよい。また、スクロールが開始したか否か、及び開始したスクロール処理の方向を示すＵＩ７０ａ及びＵＩ７０ｂを説明したが、ＵＩが示す情報はこれに限られず、例えばＵＩはスクロール速度を示してもよい。例えば、スクロール速度が小さい場合はＵＩが中央付近を示し、スクロール速度が大きい場合はＵＩが下端や上端に近い位置を示すように表示させてもよい。なお、スクロールの方向及び速度は、例えばセンサ２が検出したユーザの指の移動方向や移動速度、移動距離を用いて特定することができる。
【００６２】
また、通知制御部１３３は、履歴ＤＢ１２１に記憶した情報のうち全部を用いる代わりに、例えば「バージョン情報」を除く情報等、一部の情報を用いて操作実績の有無を判定してもよい。
【００６３】
なお、表示装置とは異なる位置に設置されたセンサとして、携帯端末１０の側面部に取り付けられたセンサ２を用いる構成について説明したが、実施の形態はこれに限られない。例えば、センサ２は、視線センサ、加速度センサ、ジャイロセンサ等の携帯端末１０に搭載されたその他のセンサであってもよく、また外部に接続されたマウスなどの操作デバイスであってもよい。
【００６４】
［システム］
また、各実施例において説明した各処理のうち、自動的におこなわれるものとして説明した処理の一部を手動的におこなうこともできる。あるいは、手動的におこなわれるものとして説明した処理の一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６５】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。例えば、図５に示す通知制御部１３３と表示制御部１３４とを統合してもよい。また、図５に示す取得部１３２を、履歴ＤＢ１２１からレコードを取得する処理部とコールバックの発生を検出する処理部とに分散してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【００６６】
１０  携帯端末
１２０  記憶部
１２１  履歴ＤＢ
１３０  制御部
１３１  センサ検出部
１３２  取得部
１３３  通知制御部
１３４  表示制御部
【図１】
2019074809.tif 000003
【図２】
2019074809.tif 000004
【図３】
2019074809.tif 000005
【図４】
2019074809.tif 000006
【図５】
2019074809.tif 000007
【図６】
2019074809.tif 000008
【図７】
2019074809.tif 000009
【図８】
2019074809.tif 000010